(57)【特許請求の範囲】
【請求項１】
金属水銀を含む処理対象ガスに反応ガスを供給する反応ガス供給部と、前記処理対象ガスと前記反応ガスとを反応させて、該処理対象ガス中の窒素酸化物を還元して除去し、該処理対象ガス中の前記金属水銀を酸化して水溶性水銀とする脱硝装置と、
前記処理対象ガス中の硫黄酸化物と前記水溶性水銀とを除去する脱硫装置と、を備えてなる水銀除去装置であって、
酸化性ガス発生液を加熱して、前記金属水銀を酸化する該酸化性ガスを発生するガス化部と、
前記窒素酸化物を還元する還元性ガスと前記酸化性ガスとを混合して反応ガスとするガス混合部とを、煙道外かつ前記反応ガス供給部の上流側に備え、
前記反応ガス供給部は、煙道内に設けられた複数の反応ガス供給ノズルから成り、
前記複数の各反応ガス供給ノズルの基端側には、前記ガス混合部から流入される反応ガスの流量を調節する弁を備え；
前記複数の各反応ガス供給ノズルの先端側は、複数に分岐した櫛状の管路から成り；
前記複数に分岐した櫛状の管路には、複数の噴出口が形成されている水銀除去装置。
【請求項２】
前記複数の噴出口は、前記煙道内の横断面の全域にわたって形成されている請求項１に記載の水銀除去装置。
【請求項３】
前記弁の開閉を調節することにより、前記複数の噴出口の開閉を、部分的に調節することが可能な請求項２に記載の水銀除去装置。
【請求項４】
前記酸化性ガス発生液は、アンモニウムイオンとハロゲンイオンを含む水溶液であり、塩化アンモニウム、臭化アンモニウム、ヨウ化アンモニウムのうちから選択された少なくとも１種以上の塩の水溶液である請求項１記載の水銀除去装置。
【請求項５】
前記ガス化部の熱源として、燃焼排ガスである処理対象ガスを用いる請求項１に記載の水銀除去装置。
【請求項６】
金属水銀を含む処理対象ガスに反応ガスを供給する反応ガス供給工程と、前記処理対象ガスと前記反応ガスとを反応させて、該処理対象ガス中の窒素酸化物を還元して除去すると共に、該処理対象ガス中の前記金属水銀を酸化して水溶性水銀とする脱硝工程と、
前記処理対象ガス中の硫黄酸化物と前記水溶性水銀とを除去する脱硫工程と、を備えてなる水銀除去方法であって、
酸化性ガス発生液を加熱して、前記金属水銀を酸化する該酸化性ガスを発生するガス化工程と、
前記窒素酸化物を還元する還元性ガスと前記酸化性ガスとを混合して反応ガスとするガス混合工程とを、前記反応ガス供給工程の前工程に備え、
前記脱硝工程中において、
脱硝触媒の下流側における窒素酸化物濃度を計測し、
窒素酸化物濃度が相対的に高いところは、反応ガスが不足していると判断し、
窒素酸化物濃度が高いところの反応ガス量を増加させるため、該当箇所に位置する噴出口に対応する反応ガス供給部の弁を開き、
再度窒素酸化物濃度を計測し、窒素酸化物濃度に応じて前記弁の開閉度を調整して設定する、
工程を含む反応ガス濃度制御工程を更に備える水銀除去方法。
【請求項７】
前記弁の開閉を調節することにより、前記噴出口の開閉を部分的に調節する請求項６に記載の水銀除去方法。
【請求項８】
前記酸化性ガス発生液は、アンモニウムイオンとハロゲンイオンを含む水溶液であり、塩化アンモニウム、臭化アンモニウム、ヨウ化アンモニウムのうちから選択された少なくとも１種以上の塩の水溶液である請求項６に記載の水銀除去方法。
【請求項９】
前記ガス化工程の熱源として、燃焼排ガスである処理対象ガスを用いる請求項６に記載の水銀除去方法。
【発明の詳細な説明】
【技術分野】
【０００１】
本発明は、水銀除去装置及び水銀除去方法に関する。
本発明は、２００９年１１月１６日に、日本に出願された特願２００９−２６０９９６号に基づき優先権を主張し、その内容をここに援用する。
【背景技術】
【０００２】
石炭燃焼ガスには、石炭に起因する微量の水銀が含まれている。この水銀には、難水溶性の金属水銀（Ｈｇ０）、水溶性の２価水銀（Ｈｇ２＋（ＨｇＣｌ２））、そして燃焼灰に付着した粒子状水銀（ＨｇＰ）が存在する。排ガス処理系内において、粒子状水銀（ＨｇＰ）の大部分は電気集塵機（ＥＰ）やバグフィルタなどの集塵装置にて除去され、水溶性の２価水銀（Ｈｇ２＋）は、湿式脱硫装置（ＦＧＤ）において高効率に除去することができる。しかしながら、難水溶性の金属水銀（Ｈｇ０）は、ＥＰ、ＦＧＤで除去されにくいので、排ガスに塩化水素を添加することにより、脱硝装置内で金属水銀を塩化水銀（つまり２価水銀）とした後、湿式脱硫装置内で塩化水銀を吸収除去する方法が提案されている。【０００３】
例えば特許文献１には、塩化水素水溶液を高温空気で直接加熱して塩化水素を発生させる塩化水素気化器を脱硝装置の前段に設け、煙道中の排ガス中に塩化水素を供給して、金属水銀を塩化水銀とした後、除去する方法が記載されている。この技術において、塩化水素水溶液は高い酸化能力を有するため貯蔵性や取り扱い性が悪く、周辺装置を腐食する心配性があるので、その代替として塩化アンモニウムを供給することで金属水銀を塩素化することが提案されている。【０００４】
一方、例えば特許文献２には、ボイラ付設のエコノマイザを迂回するバイパス中に塩化アンモニウム粉末を供給し、排ガスの熱で塩化アンモニウムを昇華させて塩化水素とアンモニアとすることで、排ガス中へ塩化水素を供給する方法が記載されている。
しかしながら、特許文献２のように塩化アンモニウム粉末を直接煙道中に供給する方法では、塩化アンモニウムの昇華条件によって、排ガス中での塩化水素濃度に偏りが発生し易いという問題があった。そこで特許文献３および特許文献４では、液体状の塩化水素およびアンモニアをそれぞれの供給口から煙道中に供給することが開示されている。更に、特許文献５では、液体状の塩化アンモニウムを煙道中に供給している。これら液体状の塩化水素、アンモニア、液体状の塩化アンモニウムは、燃焼ガスの熱により、蒸発させられることによって、塩化水素ガスとアンモニウムガスとなる。
【先行技術文献】
【特許文献】
【０００５】
【特許文献１】特開２００８−１４２６０２号公報
【特許文献２】特開２００８−２２１０８７号公報
【特許文献３】特開２０１０−３６１５７号公報
【特許文献４】特開２００８−１４２６０２号公報
【特許文献５】特開２００９−１５４０６７号公報
【発明の概要】
【発明が解決しようとする課題】
【０００６】
排ガス中の塩化水素濃度の制御は、加熱前の塩化アンモニウム粉末または液体の供給量の調整によって行うので、濃度検出値のフィードバック、粉末または液体の供給、加熱、混合等を経ることで、制御遅れや不安定要因が生じ、迅速な制御が難しいという問題がある。
また、水銀除去装置における煙道の断面は、縦が略１０ｍ、横が略１５ｍ程に及ぶ場合があり、このような広い断面積を備える煙道では、反応液の濃度を均一になるよう反応液を吹き込むことは困難である。
更に、このような装置には、コストを削減する為、設計要求に最小限必要な大きさ、即ち装置の縮小化が求められる。その為、ボイラと脱硝装置の間の煙道の長さは、限定されている。この為、既に設置されているボイラと脱硝装置の間に、反応液を噴出するノズル等を新たに設置する場所を確保するのは、困難である。
また、煙道中に反応液を噴出するノズル等の新たな部材を設置する場合、ノズルを一つ追加することで、数ｍｍＡｑ分の圧力損失が増加してしまう。【０００７】
本発明は、上述した事情に鑑みてなされたものであり、以下の点を目的とするものである。
（１）金属水銀を水溶性水銀に酸化する酸化剤を、金属水銀を含むガス中へ均一の濃度に分散させる。
（２）金属水銀を含むガス中へ供給する酸化剤の濃度を迅速に制御する。
（３）酸化剤を、略均一の濃度に分散させて煙道内に吹き込むことができ、且つ煙道内の圧力損失を最小限に維持できるノズルを、限られたスペースの中に提供する。
【課題を解決するための手段】
【０００８】
上記目的を達成するために、本発明では、以下の手段を採用する。即ち、
（１）本発明は、金属水銀を含む処理対象ガスに反応ガスを供給する反応ガス供給部と；前記処理対象ガスと前記反応ガスとを反応させて、該処理対象ガス中の窒素酸化物を還元して除去し、該処理対象ガス中の前記金属水銀を酸化して水溶性水銀とする脱硝装置と；前記処理対象ガス中の硫黄酸化物と前記水溶性水銀とを除去する脱硫装置と；を備えてなる水銀除去装置であって、酸化性ガス発生液を加熱して、前記金属水銀を酸化する該酸化性ガスを発生するガス化部と、前記窒素酸化物を還元する還元性ガスと前記酸化性ガスとを混合して反応ガスとするガス混合部とを、煙道外かつ反応ガス供給部の上流側に備える。【０００９】
（２）上記（１）に記載の水銀除去装置における前記反応ガス供給部は、煙道内に設けられた複数の反応ガス供給ノズルから成り；前記複数の各反応ガス供給ノズルの基端側には、前記ガス混合部から流入される反応ガスの流量を調節する弁を備え；前記複数の各反応ガス供給ノズルの先端側は、複数に分岐した櫛状の管路から成り、前記上下方向に複数延びた櫛状の管路には、複数の噴出口が形成されていても良い。【００１０】
（３）上記（２）に記載の前記複数の各反応ガス供給ノズルに設けられた前記複数の噴出口は、前記煙道内の横断面の全域にわたって形成されていても良い。【００１１】
（４）上記（３）に記載の前記複数の各反応ガス供給ノズルでは、前記弁の開閉を調節することにより、前記複数の噴出口の開閉を、部分的に調節することが可能であっても良い。【００１２】
（５）上記（１）に記載の水銀除去装置に使用される、酸化性ガス発生液は、アンモニウムイオンとハロゲンイオンを含む水溶液であり、塩化アンモニウム、臭化アンモニウム、ヨウ化アンモニウムのうちから選択された少なくとも１種以上の塩の水溶液であっても良い。【００１３】
（６）上記（１）に記載の水銀除去装置では、ガス化部の熱源として燃焼ガスである処理対象ガスを用いても良い。【００１４】
（７）また、本発明では、金属水銀を含む処理対象ガスに反応ガスを供給する反応ガス供給工程と、前記処理対象ガスと前記反応ガスとを反応させて、該処理対象ガス中の窒素酸化物を還元して除去すると共に、該処理対象ガス中の前記金属水銀を酸化して水溶性水銀とする脱硝工程と、前記処理対象ガス中の硫黄酸化物と前記水溶性水銀とを除去する脱硫工程と、を備えてなる水銀除去方法であって、酸化性ガス発生液を加熱して、前記金属水銀を酸化する該酸化性ガスを発生するガス化工程と、窒素酸化物を還元する還元性ガスと前記酸化性ガスとを混合して反応ガスとするガス混合工程とを反応ガス供給工程の前工程に備えてなる、という手段を採用する。【００１５】
（８）上記（７）に記載の水銀除去方法における前記脱硝工程では、脱硝触媒の下流側における窒素酸化物濃度を計測し；窒素酸化物濃度が相対的に高いところは、反応ガスが不足していると判断し；窒素酸化物濃度が高いところの反応ガス量を増加させるため、該当箇所に位置する噴出口に対応する反応ガス供給部の弁を開き；再度窒素酸化物濃度を計測し、窒素酸化物濃度に応じて前記弁の開閉度を調整して設定する；工程を含む反応ガス濃度制御工程を更に備えても良い。【００１６】
（９）上記（８）に記載の水銀除去方法における反応ガス濃度制御工程では、前記弁の開閉を調節することにより、前記複数の噴出口の開閉を部分的に調節しても良い。【００１７】
（１０）上記（７）に記載の水銀除去方法で使用される酸化性ガス発生液は、アンモニウムイオンとハロゲンイオンを含む水溶液であり、塩化アンモニウム、臭化アンモニウム、ヨウ化アンモニウムのうちから選択された少なくとも１種以上の塩の水溶液であっても良い。【００１８】
（１１）上記（７）に記載の水銀除去方法において、ガス化工程の熱源として燃焼ガスである処理対象ガスを用いても良い。
【発明の効果】
【００１９】
本発明によれば、酸化性ガスと還元性ガスとを混合するガス混合部を反応ガス供給部の上流に設けることにより、酸化性ガスを均一の濃度に分散した状態で処理対象ガスに対して供給できる。また、ガス化部への酸化性ガス発生液の供給量調整で、処理対象ガス中の酸化性ガスの濃度制御を迅速に行うことができる。
また、本発明の反応ガス供給ノズルは、櫛状の形状を備えている為、長さが限られている（短い）煙道中に設置可能であり、かつ圧力損失を最小限に抑えながら、広大な断面積を備える煙道内に、反応ガスを均一の濃度に分散させるように噴出できる。
また、ガス混合部１３は煙道外に設けられ、および反応ガス供給ノズルは煙道内に取り付け可能であるので、装置の設計の自由度が向上する。その為、装置本体の大きさの縮小化が可能であり、また、既存の装置に取り付けることも可能である。
したがって、本発明によれば、脱硝装置内での金属水銀を、効率よく均一の濃度に分散させた水溶性水銀とすることができ、かつ装置の設計の自由度が向上した水銀除去能力の高い水銀除去装置及び方法を提供することができる。
【図面の簡単な説明】
【００２０】
【図１】本発明の一実施形態に係る水銀除去装置の概略構成図である。
【図２】本発明の一実施形態に係る脱硝装置の概略斜視図である。
【図３】本発明の一実施形態に係るガス混合部の概略断面図である。
【図４】本発明の一実施形態に係る煙道内に設置された反応ガス供給ノズルの模式図である。
【発明を実施するための形態】
【００２１】
以下、図面を参照して、本発明の一実施形態について説明する。
本実施形態に係る水銀除去装置Ａは、図１に示すように、ボイラ１から煙突９に至るまでの煙道１０に、脱硝装置２、空気予熱器３、電気集塵器４、誘引ファン５、再加熱器６、脱硫装置７、ブーストアップファン８を順次備える。更に、脱硝装置２の上流側の煙道１０ａには、反応ガス供給部２０が設けられており、この反応ガス供給部２０には、ガス混合部１３から反応ガスが供給される。ガス混合部１３は、煙道１０の外部に設置されており、アンモニア供給部１１と酸化性ガス供給部１２とが接続されている。また、反応ガス供給部２０は、煙道内に設けられた反応ガス供給ノズル２０１を備えている。
【００２２】
この水銀除去装置Ａにおいて、石炭の燃焼によってボイラ１から排出された排ガス（処理対象ガス）は、煙道１０を介して、ボイラ１と煙突９との間に配設された上記の各装置２〜８内を順次通過することにより、水銀が除去されて煙突９から大気中に放出される。
【００２３】
ボイラ１には、押込ファン１４を備えた給気管１５が接続されており、空気予熱器３で予熱された空気が給気管１５から供給され、石炭を燃焼して排ガスを発生する。ボイラ１で発生した排ガス中には、窒素酸化物（ＮＯｘ）、硫黄酸化物（ＳＯｘ）、ハロゲン化水素と共に水銀が含まれている。この水銀は、難水溶性水銀の金属水銀（Ｈｇ０）および粒子状水銀（ＨｇＰ）と、水溶性水銀の２価水銀（Ｈｇ２＋（ＨｇＣｌ２））である。排ガス中の窒素酸化物は、脱硝装置２で還元されて、除去される。また、排ガス中の硫黄酸化物は脱硫装置７で吸収除去される。
【００２４】
脱硝装置２は、排ガス中の窒素酸化物を触媒の存在下で、アンモニアなどの還元性ガスで還元して除去すると共に、排ガス中の金属水銀を酸化性ガスで酸化して水溶性水銀（２価水銀）とする。
【００２５】
脱硝装置２の上流側の煙道１０ａには、排ガスに反応ガスを供給する反応ガス供給部２０が配設されている。煙道１０ａの煙道の断面は、例えば、縦が略１０ｍ、横が略１５ｍ程であるが、その長さは装置の縮小化を図るため、短くすることが望まれる。例えば、水銀除去装置の一例では、煙道１０ａはボイラ１の下部にボイラ１と一体に形成されている。そのため、このような煙道１０ａの長さは、例えば２０〜３０ｍである。
反応ガスが供給された排ガスは、脱硝装置２に導入される。反応ガスは、酸化性ガスと還元性ガスとからなり、空気で所定濃度に希釈されている。酸化性ガスは、排ガス中の金属水銀を酸化して水溶性水銀とするガスであって、例えばハロゲン化水素やハロゲンガスなどである。
【００２６】
図２は、脱硝装置２と反応ガス供給部２０との概略斜視図である。脱硝装置２は、ハウジング２１と、ハウジング２１内に収容された複数個の触媒層２２とを備える。脱硝装置２の入口側の煙道１０ａはボイラ１に接続されており、出口側の煙道１０ｂは空気予熱器３に接続されている。入口側の煙道１０ａには、反応ガス供給部２０が接続されており、この反応ガス供給部２０を介して脱硝装置２内へ反応ガスが供給される。
図４に示すように、反応ガス供給部２０は、先端部が複数の管路２０２に分岐した櫛型状の反応ガス供給ノズル２０１を備える。反応ガスは、反応ガス供給ノズル２０１の基端部に設けられた弁２０４を介して、反応ガス供給ノズル２０１の全域に供給される。反応ガス供給ノズル２０１の各管路２０２に設けられた複数の噴出口２０３から反応ガスを噴出させることで、煙道１０ａ内の排ガス中に反応ガスを均一に分散させて供給する。尚、反応ガス供給部２０の構造および設置形態については、後に詳しく述べる。
【００２７】
脱硝装置２のハウジング２１内には、複数の触媒層２２が収容されており、触媒層２２の横面が排ガスの流れに対向するよう垂直方向に整列されている。触媒層２２は、アンモニアにより窒素酸化物を選択的に還元して、窒素と水とに分解するアンモニア選択接触還元法（ＳＣＲ法）で用いられる触媒を、ハニカム状に成形して、焼成したものである。触媒層２２の横面が、排ガスの流れに対向するよう垂直方向に整列されているので、脱硝装置２内に導入された排ガスがハニカム状の触媒面を通過できる。
脱硝装置２には、多くのサンプリングノズルが設置されており、さらにモニタリング用としてＮＯｘセンサ（図示せず）が設置されている。運転時には、アンモニアガス濃度が均一になるように反応ガス供給ノズル２０１に設けられた弁（その詳細な構造については、後述する）を調整することにより、縦が略１０ｍ、横が略１５ｍ程もある広い断面積を備える煙道１０ａ内でのアンモニアや反応性ガス等の濃度が、煙道１０ａに対し常に均一になるように制御される。
【００２８】
この広大な断面積を備える煙道１０ａ内において反応ガスの濃度を均一に保つ為に、例えば、以下の制御方法を定期的に行なう。
・  脱硝触媒の下流側におけるＮＯｘ濃度を計測する。
・  ＮＯｘ濃度が相対的に高いところは、アンモニア、即ち反応ガスが不足していると判断する。
・  ＮＯｘ濃度が高いところのアンモニア量（反応ガス量）を増加させるため、該当箇所に位置する反応ガス供給ノズル２０１の噴出口２０３に対応する反応ガス供給部２０の弁２０４を開く。
・  再度ＮＯｘ濃度を計測し、ＮＯｘ濃度に応じて弁２０４の開閉度を調整して、設定する。
上記工程１〜４を定期的に実施して、設定した弁２０４の開閉度を手動で調整する。この為、随時、排ガスの流量に対し適切量の反応ガスが供給されているか、また、煙路内に均一の濃度に反応ガスが噴出されているか、を確認することができる。
上記工程１でのＮＯｘ濃度の計測方法は、特に限定されないが、例えば、複数ある触媒層２２のある一層において、そのハニカム状の異なる行と列において約２０箇所におけるＮＯｘの濃度を計測する。そして、これらの箇所でのＮＯｘの濃度の分布を見て、その誤差を修正するよう反応ガスの流量を調整する。
例えば、誤差を３０％以内とし、それ以上の濃度の箇所は、反応ガスが均一の濃度で流入されておらず、反応ガスが不足していると判断し、反応ガス供給部２０の弁２０４を開く。尚、日本でのＮＯｘの濃度規制値は、１０〜４０ｐｐｍであるので（米国の場合は３０〜４０ｐｐｍ）、ＮＯｘの濃度が１０〜４０ｐｐｍから３０％以内になるように（即ち、ＮＯｘの濃度の上限は、５２ｐｐｍ）、反応ガスを流入させる必要がある。
【００２９】
図１に戻り、反応ガス供給部２０には、ガス混合部１３を介して、アンモニア供給部１１と酸化性ガス供給部１２とが接続されている。
還元性ガスとしてのアンモニアは、アンモニア供給部１１より供給される。アンモニア供給部１１は、アンモニア貯蔵タンク１１１と、アンモニア気化器１１２と、アキュムレータ１１３と、希釈空気混合部１１４を備える。アンモニア気化器１１２は、アンモニア貯蔵タンク１１１で加圧貯蔵されている液体アンモニアを気化させる。気化されたアンモニアはアキュムレータ１１３で一時停留されて、所定圧で希釈空気混合部１１４へ供給される。希釈空気混合部１１４には、ボイラ１の給気管１５から分岐した管路１５１が接続されており、ボイラ燃焼用空気から分流した空気でアンモニアを所定濃度に希釈する。空気希釈されたアンモニアは、アンモニア供給管１３１からガス混合部１３へ導入される。
【００３０】
酸化性ガス供給部１２は、酸化性ガス発生液貯蔵タンク１２１と、供給ポンプ１２２と、バルブ１２３と、酸化性ガス気化器１２４を備える。酸化性ガス発生液貯蔵タンク１２１は酸化性ガス発生液を貯蔵する。供給ポンプ１２２とバルブ１２３は、図１中に破線で示したように、煙突９の入口側に設置されたガス濃度検知システム（図示せず）に接続されており、システムの制御に応じて、必要量の酸化性ガス発生液を酸化性ガス気化器１２４へ供給する。酸化性ガス発生液は酸化性ガス気化器１２４で加熱されて、酸化性ガスを発生する。酸化性ガスは、酸化性ガス供給管１３２によって、ガス混合部１３へ導入される。
【００３１】
酸化性ガス気化器１２４は、ボイラ１の直下の煙道１０内に挿管された螺旋状の気化管からなり、気化管中に導入された酸化性ガス発生液を排ガスの熱で加熱して、酸化性ガスを発生させる。酸化性ガス気化器１２４の熱源として排ガスを利用することで、外部エネルギーを導入する必要がなくなり、経済的に酸化性ガスを発生させることができる。通常、ボイラ１の出口側における排ガス温度は約８００℃程度であり、エコノマイザーにより４００℃程度にまで降温されるが、酸化性ガス気化器１２４の加熱には充分である。
【００３２】
図３は、煙道１０外に設置されたガス混合部１３の概略断面図である。ガス混合部１３は、この図３に示すように、アンモニア供給管１３１、２本の酸化性ガス供給管１３２、１３２及び混合管部（図示せず）等を備え、これらのガスを煙道外で混合して、煙道内に供給する。大径のアンモニア供給管１３１に対して、小径の酸化性ガス供給管１３２、１３２の先端部が挿管されている。酸化性ガス供給管１３２、１３２の挿管位置よりも下流側のアンモニア供給管１３１の内部が混合管部である。
【００３３】
アンモニア供給管１３１内には、空気希釈されたアンモニアが流通しており、その流通方向と直交するように、酸化性ガス供給管１３２、１３２の先端部が挿管されている。酸化性ガス供給管１３２、１３２の先端部には、それぞれ２個ずつ、計４個の酸化性ガス噴出口１３３が形成されており、流通するアンモニア中に酸化性ガスを噴出する。これらのガスは、噴出位置より下流側の混合管部を流通する間に均一に混合されて、反応ガスとされる。反応ガスは、管路１３５を経て、反応ガス供給部２０に導入される。
【００３４】
酸化性ガス噴出口１３３は、アンモニア供給管１３１の流通断面を４等分して形成される４個の扇形断面１３４の重心に位置する。このように設計することで、大径のアンモニア供給管１３１内を流通する大量のアンモニア中に、酸化性ガスを均一の濃度に混合することができる。
【００３５】
酸化性ガス供給管１３２の数とその挿管間隔と、酸化性ガス噴出口１３３の形成個数および形成位置とは、特に限定されるものではない。例えば、酸化性ガス噴出口１３３の形成個数をｎとした場合、アンモニア供給管１３１の流通断面をｎ等分して扇形断面１３４をｎ個形成する。各扇形断面１３４の重心に、各酸化性ガス噴出口１３３が位置するように、酸化性ガス供給管１３２の数とその挿管間隔と、酸化性ガス噴出口１３３の形成位置とを設計する。この設計によれば、攪拌羽等の他の混合手段を付与することなく、アンモニアと酸化性ガスとを均一に混合することができる。
また、ガス混合部１３を排ガスの煙道１０ａ外に設けたことで、煙道内に流入される反応ガスのアンモニアと酸化性ガスの濃度を、反応ガスとして煙路内に流入される前に簡易に調整できる。従って、煙道の長さ・断面積・排ガス量に応じて、反応ガスの濃度を適宜に変更でき、アンモニアと酸化性ガスが均一に混合された反応ガスを煙道内に流入させることができる。
更に、ガス混合部１３を煙道外に設けたことで、ガス混合部１３は、装置本体とは一体に設置されなくても良い。その為、装置本体の大きさの縮小化が可能であり、また、既存の装置に取り付けることも可能である。
【００３６】
ガス混合部１３で混合された反応ガスは、反応ガス供給部２０を介して反応ガス供給ノズル２０１に供給される。
図４は、煙道１０ａ中に設置された反応ガス供給部２０の形状および設置形態の一例である。図４に示す例では、計６基の供給ノズル２０１が、２基で１組をなし、横方向（煙道１０ａを横断する方向）に３組並列して設置されている。図４において、個々の反応ガス供給ノズル２０１は、上下方向に延びる管路２０２を有している。管路２０２の基端（上端）は前述した管路１３５に連結されている。また、管路２０２の基端側には、管路２０２内における反応ガスの流量を調節する弁２０４が設けられている。管路２０２の先端側（下端側）は前記横方向に２本に分岐した後、再度上下方向に延び、その結果、反応ガス供給ノズル２０１は、基端側に弁２０４を設え、先端側が複数の管路２０２に分岐した櫛型の形状をなしている。
分岐した管路２０２には、複数の噴出口２０３が、管路２０２の延設方向に沿って所定間隔で形成されている。特に、個々の組を形成する２基の反応ガス供給ノズル２０１のうち、一方のノズル２０１では、分岐した管路２０２の先端が煙道１０ａの上下方向中央部に到達し、分岐した管路２０２の先端から煙道１０ａの上端に至る範囲に、上記複数の噴出口２０３が形成されている。また、個々の組を形成する２基の反応ガス供給ノズル２０１のうち、他方のノズル２０１では、分岐した管路２０２の先端が煙道１０ａの下端部に到達し、分岐した管路２０２の先端から煙道１０ａの上下方向中央部に至る範囲に、上記複数の噴出口２０３が形成されている。
【００３７】
そして、このように管路２０２を配置することにより、煙道１０ａの横断面のほぼ全域にわたり、上記複数の噴出口２０３を形成することが可能となっている。また、計６基のノズル２０１がそれぞれ備える弁２０４の開閉を調節することにより、煙道１０ａの横断面のほぼ全域にわたり形成された複数の噴出口２０３の開閉を、部分的に調節することが可能となっている。
【００３８】
尚、反応ガス供給部２０の具体的形状、即ち、反応ガス供給ノズル２０１における噴出口２０３の数、噴出口２０３の管路における形成位置、分岐された管路２０２の数、および管路２０２の長さは、煙路１０ａの長さ、断面積等により異なるので、特に限定されない。煙道１０ａ内を流通する排ガス中に反応ガスを均一の濃度に分散させるため、それらを調整しながら反応ガス供給ノズル２０１の形状や、設置位置を調整することが好ましい。
反応ガス供給ノズル２０１が、複数の管路を有する櫛型の形状を備えるので、排ガスは各管路間を流通する。排ガスが管路間を流通する間に、反応ガスが各管路に設けられた噴出口から噴出されて、排ガスは反応液ガスが反応しながら、脱硝装置２に流入する。
【００３９】
排ガスがボイラ１から煙突９まで流通する為には、煙道１０内の圧力損失を極力抑えることが望ましい。しかしながら、煙道１０内にある部材を挿入することは、圧力損失が増加することになる。この為、本発明の反応ガス供給ノズル２０１は、櫛型の形状を備えることにより、それらの間を流れる排ガスの圧力損失を、一つの反応ガス供給ノズル２０１につき、数ｍｍＡｑの圧力損失で抑えることができる。しかしながら、圧力損失を抑えるとはいっても、煙路中に反応ガス供給ノズル２０１を一つ追加すると、圧力損失が数ｍｍＡｑ分増加するため、煙道１０内に挿入する反応ガス供給ノズル２０１の数を最小限に抑える為、噴出口の位置と数を調整するのが好ましい。
本発明の反応ガス供給ノズル２０１は、圧力損失を抑えながら、限られたスペース内に挿入できる。従って、既存の煙路内にも煙路を増設することなく、追加して設置できる。
【００４０】
図１に戻り、脱硝装置２の下流側の煙道１０ｂには、空気予熱器３が接続されている。空気予熱器３では、脱硝装置２から排出された排ガスを冷却する一方で、ボイラ燃焼用の空気を予熱する。脱硝装置２の温度は通常、３５０〜４００℃程度であるので、燃焼空気の加熱には充分である。
【００４１】
空気予熱器３の下流側には、煙道１０を介して電気集塵器４が配設されている。電気集塵器４は、放電極と集塵極との間に形成された電場中に排ガスを導入して、排ガス中の固形粒子分を集塵極に付着させて除去する。排ガス中の煤塵等の固形粒子分と共に、難水溶性水銀のうちの粒子状水銀（ＨｇＰ）が除去される。電気集塵器４の下流側には、煙道１０を介して誘引ファン５が配設されている。誘引ファン５は、再加熱器６を介して排ガスを脱硫装置７に導入する。
【００４２】
再加熱器６は、脱硫装置７の前段に設けられた熱交換器（図示せず）を備えている。この熱交換器で回収した熱エネルギーによって、脱硫装置７へ導入される排ガスから熱エネルギーを回収し、脱硫装置７で浄化されて温度低下した排ガスを加熱する。これにより、浄化された排ガスが煙突９から大気中に放出される際の拡散性を向上できると共に、水蒸気による白煙化を防止することができる。
【００４３】
脱硫装置７は、排ガス中の硫黄酸化物や塩化水素等の水溶性物質と電気集塵器４で捕集しきれない微細粒子と共に、水溶性水銀を除去する。その除去方法には、これら水溶性の所定物質を吸収液に吸収させて除去する方法が採用されている。脱硫装置７は、特に限定されないが、例えば一般の排煙処理で用いられる湿式脱硫装置や吸収塔である。吸収液としてはアルカリ吸収液が好適である。例えば、炭酸カルシウム、酸化カルシウム、水酸化カルシウム、水酸化マグネシウム、炭酸ナトリウム、水酸化ナトリム、アンモニア等の吸収剤の水溶液などである。
【００４４】
脱硫装置７の下流側には、煙道１０を介してブーストアップファン８が配設されており、ブーストアップファン８により、脱硫装置７で浄化された排ガスを、再加熱器６および煙突９へ圧送する。浄化処理された排ガスは、煙突９から大気中に放出される。煙道１０の最下流には、ＮＯｘ濃度を測定するセンサが設置されており、センサのＮＯｘ濃度の検出値に応じて、反応ガス供給部２０による反応ガスの供給量が調整される。
【００４５】
次に、このような構成の水銀除去装置Ａを用いた水銀除去方法について説明する。
ボイラ１で発生した排ガスは、まず煙道１０に導入される。排ガスと共に発生された熱は、酸化性ガス気化器１２４において回収され、酸化性ガスを発生させるための熱として利用される。排ガスが煙道１０aを通流する際は、反応ガス供給装置２０において反応ガスが煙道１０a内に供給されて、排ガスと反応ガスは、反応しながら脱硝装置２へと導入される。
【００４６】
アンモニア供給部１１では、アンモニアが気化される。酸化性ガス気化器１２４では、酸化性ガス発生液から酸化性ガスが気化される。酸化性ガス発生液は、酸化性ガスの発生源となる液体であって、加熱によって酸化性ガスを発生する液体であれば特に限定されない。例えば、酸化性ガス発生液としては、アンモニウムイオンとハロゲンイオンを含む水溶液であり、アンモニアを副生する塩化アンモニウム水溶液、臭化アンモニウム水溶液、ヨウ化アンモニウム水溶液が好適であり、これら水溶液の混合溶液であってもよい。
【００４７】
酸化性ガス発生液が塩化アンモニウム水溶液の場合には塩化水素と塩素ガスが、臭化アンモニウム水溶液の場合には臭化水素と臭素ガスが、ヨウ化アンモニウム水溶液の場合にはヨウ化水素とヨウ素ガスが、酸化性ガスとして得られる。なお、ヨウ素は、常温、常圧で固体であるが、その沸点は１１４℃であるので、酸化性ガス気化器１２４の加熱温度（約３５０〜４００℃）の下では気体（酸化性ガス）として得られる。いずれの場合にも、ハロゲン化水素とハロゲンガスの他に、副生ガスとしてアンモニアが発生する。このアンモニアは、排ガス中の窒素酸化物を還元する還元性ガスとして利用可能である。
【００４８】
ハロゲンは分子量が大きくなるに従って、その反応性が低くなるので、塩化水素と塩素ガスとを発生する塩化アンモニウム水溶液としては好適である。しかしながら塩化アンモニウム水溶液の高い酸化性により、排ガス中の二酸化硫黄（ＳＯ２）が、三酸化硫黄（ＳＯ３）となる副反応を起こす。その為、この副反応に塩化水素が消費されてしまい、水銀の除去効率が低下する可能性もある。よって、より反応性の低い臭化水素と臭素とを発生する臭化アンモニウム水溶液を用いると、酸化性ガスを金属水銀の酸化反応のみに関与させることができる。
【００４９】
酸化性ガス発生液中のハロゲン化アンモニウムが固体として析出するのを防止するために、ガス気化器１２４の加熱温度は、このハロゲン化アンモニウムの昇華温度以上とすることが好ましい。常温常圧下の塩化アンモニウムの昇華温度は３３８℃、臭化アンモニウムの昇華温度は４５２℃、ヨウ化アンモニウムの昇華温度は５５１℃であるので、これらの温度以上で加熱することが好ましい。
【００５０】
酸化性ガス気化器１２４への酸化性ガス発生液の供給量は、供給ポンプ１２２とバルブ１２３とで調整されており、これによって、酸化性ガスの気化量と、ガス混合器１３への酸化性ガス供給量とが調整される。供給ポンプ１２２とバルブ１２３とは、水銀除去装置Ａの要所毎に複数設置されたガス濃度センサと接続されており、各センサの検出値に従って調整が行われる。
【００５１】
アンモニアと酸化性ガスは、ガス混合部１３で均一に混合されて反応ガスとされた後、反応ガス供給部２０を介して反応ガス供給ノズル２０１に供給される。そして、反応ガス供給ノズル２０１の複数の管路の間を流れる排ガスは、管路から噴出される反応ガスと反応しながら脱硝装置２に流入する。ガス混合部１３におけるアンモニアと酸化性ガスとの混合比は、ボイラ１で燃焼させる石炭の種類や排ガス中の水銀濃度等によって適宜選択されるが、例えば、体積比で希釈空気：アンモニア：酸化性ガス＝９３：５：２等である。
【００５２】
脱硝装置２内では、脱硝工程によって、排ガス中の窒素酸化物が還元されて除去されると共に、金属水銀が酸化されて水溶性水銀となる。脱硝工程を経た排ガスは、脱硝装置２から空気予熱器３を経て電気集塵器４に導入される。空気予熱器３で排ガスの熱が回収されて、ボイラ１の燃焼空気が加熱される。電気集塵器４では、排ガス中の難水溶性の粒子状水銀と煤塵が除去される。電気集塵器４で処理された排ガスは、誘引ファン５により、煙道１０内を煙突９へ向かって送通される。次に、排ガスは、浄化された排ガスを加熱するための熱を回収される為に、再加熱器６に導入される。その後、脱硫装置７へ導入される。
【００５３】
脱硫装置７では、排ガス中の硫黄酸化物と水溶性水銀の他、電気集塵器４で除去しきれなかった粒子状水銀と煤塵との残部が、吸収液により吸収除去される。このようにして、窒素酸化物、硫黄酸化物、難水溶性水銀、水溶性水銀、煤塵が除去されて浄化された排ガスは、ブーストアップファン８により圧送され、再加熱器６で加熱された後に、煙突９から大気中へ放出される。
【００５４】
以上説明したように、本実施形態によれば、酸化性ガスの発生源として、ハロゲン化アンモニウム塩の水溶液、すなわち酸化性ガス発生液を採用し、酸化性ガス発生液を酸化性ガス気化器１２４によりガス化するので、均一濃度で酸化性ガスを発生することができる。加えて、酸化性ガスとアンモニアとを、ガス混合器１３で混合することで、酸化性ガスが均一の濃度に分散された反応ガスが得られる。そして、脱硝装置２の入口側の煙道１０ａ内に配設された反応ガス供給ノズル２０１から排ガスに対して、反応ガスを供給するので、酸化性ガスを脱硝装置２内で均一の濃度に分散させて、効率よく排ガスと反応させることができる。
【００５５】
また、本発明では、酸化性ガスの発生源として、ハロゲン化アンモニウム塩の水溶液、すなわち酸化性ガス発生液を採用した。この為、酸化性ガス発生液の供給量を調整するだけで、固体の塩化アンモニウムを煙道１０に直接供給して、塩化水素を発生させるよりも、反応ガスの供給量の調整が容易であり、安定的な供給ができる。よって、ガス濃度検知システムで測定された測定値に対して迅速な対応ができ、制御遅れが生じない。
また、ガス混合部１３を排ガスの煙道１０ａ外に設けたことで、煙道内に流入される反応ガスのアンモニアと酸化性ガスが、より均一の濃度に混合された状態で、煙道内に流入させることができる。
更に、ガス混合部１３を煙道外に設けたことで、装置の設計上ガス混合部１３は、装置本体とは一体に設置されなくても良い。その為、装置本体の大きさの縮小化が可能であり、また、ガス混合部１３を既存の装置に取り付けることも可能である。
【００５６】
また、本発明では、煙路内に櫛状の反応ガス供給ノズル２０１を設置することで、反応ガス供給ノズル２０１を限られた長さの煙路内に設置することが可能である。また、反応ガス供給ノズル２０１の噴出口２０３が煙道１０ａの横断面のほぼ全域にわたり、且つ反応ガス供給ノズル２０１が櫛状のため、広大な煙路内に反応ガスを均一の濃度に噴出でき、且つ圧力損失を抑えることができる。更に、脱硝装置２内で運転中にＮＯｘ濃度を計測することで、反応ガス供給ノズル２０１の噴出口２０３から噴出される反応ガスの量を、より均一の濃度に噴出するよう調整することが可能である。
【００５７】
また、本発明では、ハロゲン化アンモニウム塩の水溶液を使用した。これらのハロゲン化アンモニウム塩の水溶液は加熱によって、酸化性ガスと共に、副生アンモニアを発生する。アンモニアは、脱硝反応で使用されているので、水銀除去の反応系内で影響を及ぼすことが少ない。また、副生アンモニアを脱硝装置で利用できる。よって、水銀除去を効率よく、かつ経済的に行える装置を提供できる。
また、本発明では、ガス化部の熱源として燃焼排ガスである処理対象ガスを用いた。処理対象ガスの熱を回収して、酸化性ガス発生液を加熱することで、酸化性ガスの発生目的の他からのエネルギー供給が不要となる。また、処理対象ガスの熱を有効利用することで、エネルギー利用効率の高い水銀処理装置となる。
【００５８】
なお、本発明は上記実施形態に限定されるものではなく、例えば以下のような変形例が考えられる。
（１）電気集塵器４の代わりに、バグフィルタ等の濾過集塵器を用いても良い。
（２）アンモニア供給部１１の希釈空気混合部１１４の上流側に、酸化性ガス供給管１３２を接続して、希釈空気混合部１１４をガス混合部１３として使用しても良い。
【産業上の利用可能性】
【００５９】
本発明によれば、脱硝装置内での金属水銀を効率よく均一の濃度に分散させた水溶性水銀とすることができ、かつ装置の設計の自由度が向上した水銀除去能力の高い水銀除去装置及び方法を提供することができる。
【符号の説明】
【００６０】
Ａ…水銀除去装置、１…ボイラ、２…脱硝装置、３…空気予熱器、４…電気集塵器、５…誘引ファン、６…再加熱器、７…脱硫装置、８…ブーストアップファン、９…煙突、１０…煙道、１１…アンモニア供給部、１１１…アンモニア貯蔵タンク、１１２…アンモニア気化器、１１３…アキュムレータ、１１４…希釈空気混合部、１２…酸化性ガス供給部、１２１…酸化性ガス発生液貯蔵タンク、１２２…供給ポンプ、１２３…バルブ、１２４…酸化性ガス気化器、１３…ガス混合器、１３１…アンモニア供給管、１３２、１３２…酸化性ガス供給管、１４…押込ファン、１５…給気管、２０…反応ガス供給部、２１…ハウジング２１、２２…触媒層、２０１…反応ガス供給ノズル、２０２…管路、２０３…噴出口、２０４…弁
【図１】
0005626220.tif 000002
【図２】
0005626220.tif 000003
【図３】
0005626220.tif 000004
【図４】
0005626220.tif 000005